(57)【要約】【課題】摘み部に表示されるレンズ部に関する情報を明瞭に視認でき、この情報を長期間に渡って摘み部に表示できる摘み部付きプラスチック製検眼レンズ、及びこの検眼レンズを製造するための方法と装置を提供すること。【解決手段】プラスチック製検眼レンズ１は、レンズ部２と、レンズ部２の外周部から突出してレンズ部２と一体に形成され、眼鏡試験枠へのレンズ部２の装填時に摘むための摘み部４と、を備えており、摘み部４には、レンズ部２に関する情報５を表現する形状となった情報表示用凹部が形成され、この凹部の内部に付着したカシュー樹脂塗料により、情報５が摘み部４に表示されている。【選択図】図２
2007143705.tif 000002
【特許請求の範囲】
【請求項１】
レンズ部と、このレンズ部の外周部から突出して前記レンズ部と一体に形成され、眼鏡試験枠への前記レンズ部の装填時に摘むための摘み部と、を備え、この摘み部に前記レンズ部に関する情報が表示されている摘み部付きプラスチック製検眼レンズにおいて、
前記情報が、前記摘み部に付着した塗料によって表示されていることを特徴とする摘み部付きプラスチック製検眼レンズ。
【請求項２】
請求項１に記載の摘み部付きプラスチック製検眼レンズにおいて、前記摘み部を含む検眼レンズ表面には、少なくともハードコート膜を含むコート膜が施されており、このコート膜の上に前記塗料が付着していることを特徴とする摘み部付きプラスチック製検眼レンズ。
【請求項３】
請求項１又は２に記載の摘み部付きプラスチック製検眼レンズにおいて、前記摘み部には情報表示用凹部が形成され、前記塗料の付着はこの情報表示用凹部の内部で行われていることを特徴とする摘み部付きプラスチック製検眼レンズ。
【請求項４】
請求項３に記載の摘み部付きプラスチック製検眼レンズにおいて、前記情報表示用凹部は、前記情報を表現する形状となって前記摘み部に形成されていることを特徴とする摘み部付きプラスチック製検眼レンズ。
【請求項５】
請求項３又は４に記載の摘み部付きプラスチック製検眼レンズにおいて、前記情報表示用凹部の深さ寸法Ｄは、０．１３ｍｍ≦Ｄ≦０．５ｍｍであることを特徴とする摘み部付きプラスチック製検眼レンズ。
【請求項６】
請求項３〜５のいずれかに記載の摘み部付きプラスチック製検眼レンズにおいて、前記情報表示用凹部は、前記レンズ部及び前記摘み部の成形時にこれらのレンズ部及び摘み部と同時に形成されていることを特徴とする摘み部付きプラスチック製検眼レンズ。
【請求項７】
請求項１〜６のいずれかに記載の摘み部付きプラスチック製検眼レンズにおいて、前記情報は前記摘み部の一方の面に表示され、この摘み部の他方の面には、前記情報とは別の情報が前記他方の面に形成された凸部及び／又は凹部によって表現されていることを特徴とする摘み部付きプラスチック製検眼レンズ。
【請求項８】
請求項１〜７のいずれかに記載の摘み部付きプラスチック製検眼レンズにおいて、前記レンズ部の外周部には水平基準線の方向を示すマークが表示され、このマークは、前記外周部に塗料が付着することによって表示されたマークとなっていることを特徴とする摘み部付きプラスチック製検眼レンズ。
【請求項９】
請求項８に記載の摘み部付きプラスチック製検眼レンズにおいて、前記レンズ部の外周部にはマーク表示用凹部が形成され、このマーク表示用凹部の内部に前記塗料が付着することによって前記マークが前記レンズ部の外周部に表示されていることを特徴とする摘み部付きプラスチック製検眼レンズ。
【請求項１０】
請求項９に記載の摘み部付きプラスチック製検眼レンズにおいて、前記マーク表示用凹部は、前記レンズ部及び前記摘み部の成形時にこれらのレンズ部及び摘み部と同時に形成されていることを特徴とする摘み部付きプラスチック製検眼レンズ。
【請求項１１】
請求項１〜１０のいずれかに記載の摘み部付きプラスチック製検眼レンズにおいて、前記塗料はカシュー樹脂塗料であることを特徴とする摘み部付きプラスチック製検眼レンズ。
【請求項１２】
レンズ部と、このレンズ部の外周部に前記レンズ部と一体に形成され、眼鏡試験枠への前記レンズ部の装填時に摘むための摘み部と、を備え、この摘み部には、塗料の付着によって前記レンズ部に関する情報を表示するための情報表示用凹部が形成されたプラスチック製検眼レンズを射出成形法で製造する射出成形工程と、
この射出成形工程の後に、前記摘み部に形成された前記情報表示用凹部を含む検眼レンズの表面を、少なくともハードコート膜を含むコート膜でコーティングするコーティング工程と、
このコーティング工程の後に、前記情報表示用凹部の内部に塗料を付着させて前記レンズ部に関する情報を表示する情報表示工程と、
を含んでいることを特徴とする摘み部付きプラスチック製検眼レンズの製造方法。
【請求項１３】
レンズ部と、このレンズ部の外周部に前記レンズ部と一体に形成され、眼鏡試験枠への前記レンズ部の装填時に摘むための摘み部と、を備えたプラスチック製検眼レンズを射出成形法で製造する摘み部付きプラスチック製検眼レンズの製造装置において、
塗料の付着によって前記レンズ部に関する情報を表示するための情報表示用凹部を前記摘み部に形成する印刻部材を備えていることを特徴とする摘み部付きプラスチック製検眼レンズの製造装置。
【請求項１４】
請求項１３に記載の摘み部付きプラスチック製検眼レンズの製造装置において、前記印刻部材は、前記摘み部の一方の面に前記情報表示用凹部を形成するための第１印刻部材であり、前記情報とは別の情報を表現する凸部及び／又は凹部を前記摘み部の他方の面に形成するための第２印刻部材を備えていることを特徴とする摘み部付きプラスチック製検眼レンズの製造装置。
【発明の詳細な説明】
【技術分野】
【０００１】
本発明は、眼鏡試験枠に装填されて被検者の視力等を検査するために用いられる摘み部付きプラスチック製検眼レンズ、及びこの摘み部付きプラスチック製検眼レンズを製造するための製造方法と製造装置に関する。
【背景技術】
【０００２】
眼鏡試験枠に装填されて被検者の視力等を検査するために用いられるプラスチック製検眼レンズには、摘むことによってこのプラスチック製検眼レンズを眼鏡試験枠への装填を行えるようにするために、摘み部が設けられる。累進屈折力レンズに関する文献となっている下記の特許文献１には、レンズ部の外周部から突出してこのレンズ部と一体となった摘み部が形成されている摘み部付きプラスチック製検眼レンズが示され、また、このプラスチック製検眼レンズを射出圧縮成形法によって製造するための方法及び装置も示されている。
【０００３】
また、特許文献１には、このプラスチック製検眼レンズの摘み部に、例えば、レンズ度数等のレンズ部に関する情報を表示することも示されており、特許文献１では、この情報を摘み部に表示するために、プラスチック製検眼レンズを射出圧縮成形法で製造する際に、射出圧縮成形金型に印刻部材を組み込んでおくことにより、摘み部にこの印刻部材による凹凸で情報を表示するようにしており、また、摘み部に上記情報を表示したラベルを貼付することによっても、情報を摘み部に表示している。
【特許文献１】ＷＯ９８／２６７０７（特再平１０−２６７０７）
【発明の開示】
【発明が解決しようとする課題】
【０００４】
レンズ部に関する情報を摘み部に凹凸で表示した場合には、摘み部はレンズ部と同じ透明のプラスチック材料で形成されているため、その凹凸を明瞭に視認することは難しい。また、摘み部にレンズ部に関する情報を表示したラベルを貼付した場合には、情報を明瞭に視認できるようにはなるが、プラスチック製検眼レンズを眼鏡試験枠に装填する作業が行われる眼鏡販売店等において、プラスチック製検眼レンズの使用が繰り返され、この検眼レンズが、摘み部が多数回摘まれるなどの取り扱いを受けると、ラベルが剥がれるなどの問題が生ずるおそれがあり、摘み部に上記情報を長期間に渡って表示しておくことは困難である。特に、摘み部に凹凸を形成し、その上にラベルを貼付した場合には、ラベルと摘み部との接触面積が小さくなるため、ラベルが一層剥がれやすくなるおそれがある。
【０００５】
本発明の目的は、摘み部に表示されるレンズ部に関する情報を明瞭に視認できるとともに、この情報を長期間に渡って摘み部に表示できるようになる摘み部付きプラスチック製検眼レンズ、及びこの摘み部付きプラスチック製検眼レンズを製造するための方法と装置を提供するところにある。
【課題を解決するための手段】
【０００６】
本発明に係る摘み部付きプラスチック製検眼レンズは、レンズ部と、このレンズ部の外周部から突出して前記レンズ部と一体に形成され、眼鏡試験枠への前記レンズ部の装填時に摘むための摘み部と、を備え、この摘み部に前記レンズ部に関する情報が表示されている摘み部付きプラスチック製検眼レンズにおいて、前記情報が、前記摘み部に付着した塗料によって表示されていることを特徴とするものである。
【０００７】
本発明では、レンズ部に関する情報は塗料を摘み部に付着させることによって表示されており、このため、摘み部に表示されたレンズ部に関する情報を明瞭に視認できるようになるとともに、プラスチック製検眼レンズが繰り返し使用されて摘み部が多数回摘まれるなどしても、この情報を長期間に渡って摘み部に表示できるようになる。
【０００８】
また、摘み部を含む検眼レンズの表面に、少なくともハードコート膜を含むコート膜を施す場合には、このコート膜の上に塗料を付着させることが好ましい。
【０００９】
これによると、コート膜を施す作業は、塗料を付着させる作業の前に行われるため、コート膜を施す作業と関係して用いられる液、例えば、コート膜のためのコーティング液や、コート膜を施す作業の前の摘み部付き検眼レンズを洗浄するための洗浄液により、塗料が取れてしまったり、これらの液が溶け出した塗料で汚れてしまうという問題が発生することをなくすことができる。
【００１０】
また、レンズ部に関する情報を摘み部への塗料の付着によって表示する場合には、摘み部の情報を表示する箇所を平坦面とし、この平坦面に塗料の付着で情報を表示してもよく、あるいは、摘み部に情報表示用凹部を形成し、この情報表示用凹部の内部に塗料を付着させることによって情報を摘み部に表示してもよい。
【００１１】
これらのうち、後者によると、塗料の付着は情報表示用凹部の内部において行われているため、摘み部が多数回摘まれるなどしても、塗料がこの摘み操作で剥がれたり摩滅したりすることを前者よりも有効に防止できることになり、このため、後者を採用することが好ましい。
【００１２】
また、このように情報の表示を、摘み部に形成した情報表示用凹部の内部に付着させた塗料によって行う場合には、この情報表示用凹部と情報との関係の形態は任意である。その第１番目の例は、情報表示用凹部を情報自体の表示面積よりも大きな面積を有するものとし、この情報表示用凹部の内部に、情報を表現する文字や図形等の形状とした凸部を設けることであり、第２番目の例は、情報表示用凹部を、情報を表現する文字や図形等の形状とすることである。第１番目の例では、塗料を、情報表示用凹部の内部のうちの上記凸部を除く部分に付着させ、これにより、周囲が塗料によって囲まれていてそれ自体には塗料が付着していない上記凸部により情報が表示されることになり、第２番目の例では、塗料を、情報表示用凹部の内部の全体に付着させ、この塗料自体によって情報が表示されることになる。
【００１３】
これらのうち、第２番目の例によると、情報を表現する文字や図形等の形状となって摘み部に形成された情報表示用凹部は、細幅の凹部となるため、摘み部が多数回摘まれるなどしても、この細幅の凹部の内部に付着した塗料が剥がれたり摩滅したりすることを第１番目の例よりも有効に防止でき、塗料によって表現される上記情報の永続性を確保できるため、第２番目の例を採用することが好ましい。
【００１４】
これらの第１番目及び第２番目の例のように、情報表示用凹部の内部に付着させた塗料によってレンズ部に関する情報を摘み部に表示する場合において、情報表示用凹部の内部に塗料を付着させるとは、この情報表示用凹部の内部に塗料を充填状態で付着させることでもよく、情報表示用凹部の内部に塗料を充填状態で付着させるのではなく、この凹部の内面に塗料を塗布した状態で付着させることや、凹部の内部深さの一部に塗料を配設することでもよく、情報表示用凹部の内部での塗料の状態は任意である。
【００１５】
また、以上のように摘み部に情報表示用凹部を形成するとともに、摘み部を含む検眼レンズの表面に、少なくともハードコート膜を含むコート膜を施す場合には、情報表示用凹部の深さ寸法Ｄは、０．１３ｍｍ≦Ｄ≦０．５ｍｍとすることが好ましい。
【００１６】
これによると、ハードコート膜を含むコート膜を施すためのコーティング作業を行った際、コーティング液によって情報表示用凹部が埋まってしまうことをなくすことができる。
【００１７】
また、前述した塗料の付着による情報を摘み部の一方の面に表示し、この摘み部の他方の面に、この情報とは別の情報を表示してもよい。この場合には、この別の情報を、上記一方の面の情報とは異なり、塗料の付着によって表示するのではなく、上記他方の面に形成した凸部及び／又は凹部によって表示することが好ましい。
【００１８】
これによると、摘み部がレンズ部と同じ透明のプラスチック材料で形成されていても、上記別の情報は摘み部の上記他方の面に凸部及び／又は凹部によって表現され、塗料の付着によって表現されていないため、塗料の付着によって摘み部の一方の面に表示された情報を読み取るときに、摘み部の他方の面に表示されているこの別の情報が邪魔になることはない。
【００１９】
なお、摘み部の上記他方の面に表示する上記別の情報は、プラスチック製検眼レンズのレンズ部に関する情報でもよく、あるいは、例えば、そのプラスチック製検眼レンズの製造会社の名前のように、プラスチック製検眼レンズのレンズ部とは直接関係のない又は関係の少ない又は全く関係のない情報等でもよい。
【００２０】
このように、別の情報を摘み部の上記他方の面に凸部及び／又は凹部によって表示することは、プラスチック製検眼レンズを射出成形法によって製造する際に、この射出成形法で用いる型装置により、レンズ部及び摘み部の成形と同時に形成することができる。
【００２１】
また、本発明に係る摘み部付きプラスチック製検眼レンズが、レンズ部の外周部に水平基準線の方向を示すマークが表示されるレンズとなっている場合には、このマークを、レンズ部の外周部に塗料が付着することによって表示されたマークとしてもよい。
【００２２】
これによると、水平基準線の方向を示すマークが塗料の付着によって表示されることになるため、この場合にも、このマークを明瞭に表示できるとともに、長期間に渡ってマークを表示できることになる。
【００２３】
また、この場合にも、上記マークを表示するレンズ部の外周部の箇所を平坦面とし、この平坦面にマークを表示する塗料を付着させてもよく、あるいは、レンズ部の外周部にマーク表示用凹部を形成し、このマーク表示用凹部の内部に塗料を付着させることによって水平基準線の方向を示すマークを表示してもよい。
【００２４】
これらのうち、後者によると、塗料はマーク表示用凹部の内部に付着しているため、プラスチック製検眼レンズが繰り返し使用されても、塗料が剥がれたり摩滅したりすることを前者よりも有効に防止でき、マークの永続性を確保することができる。
【００２５】
また、このようにマーク表示用凹部の内部に塗料を付着させることとは、マーク表示用凹部の内部の全体に塗料を充填することでもよく、マーク表示用凹部の内部の全体に塗料を充填するのではなく、マーク表示用凹部の内面に塗料を塗布した状態で付着させることや、マーク表示用凹部の内部深さの一部に塗料を配設することでもよく、マーク表示用凹部の内部での塗料の状態は任意である。
【００２６】
以上の本発明に係る摘み部付きプラスチック製検眼レンズは、射出成形法によって製造でき、この製造法では、レンズ部と摘み部は同時に成形されることになり、前述した情報表示用凹部やマーク表示用凹部も、射出成形法で用いる型装置により、レンズ部と摘み部の成形と同時に形成することが好ましい。
【００２７】
これによると、プラスチック製検眼レンズが射出成形法によって製造された後に、情報表示用凹部やマーク表示用凹部を形成する作業を別途行う必要がなくなり、それだけ作業工程数を削減できることになる。また、レンズ部と摘み部の成形と同時に情報表示用凹部を摘み部に形成するため、摘み部付きプラスチック製検眼レンズを射出成形法で製造した後に、この検眼レンズの摘み部にレンズ部に関する情報が表示されたラベルを貼付する場合と異なり、摘み部に誤った情報を表示するおそれをなくすことができる。
【００２８】
なお、もちろん、射出成形法で摘み部付きプラスチック製検眼レンズを製造した後に、摘み部をプレス加工したり、彫刻したりすることにより、この摘み部に情報表示用凹部やマーク表示用凹部を形成してもよい。
【００２９】
本発明に係る摘み部付きプラスチック製検眼レンズの製造方法は、レンズ部と、このレンズ部の外周部に前記レンズ部と一体に形成され、眼鏡試験枠への前記レンズ部の装填時に摘むための摘み部と、を備え、この摘み部には、塗料の付着によって前記レンズ部に関する情報を表示するための情報表示用凹部が形成されたプラスチック製検眼レンズを射出成形法で製造する射出成形工程と、この射出成形工程の後に、前記摘み部に形成された前記情報表示用凹部を含む検眼レンズの表面を、少なくともハードコート膜を含むコート膜でコーティングするコーティング工程と、このコーティング工程の後に、前記情報表示用凹部の内部に塗料を付着させて前記レンズ部に関する情報を表示する情報表示工程と、を含んでいることを特徴とするものである。
【００３０】
この製造方法によると、プラスチック製検眼レンズがコーティング工程を経て製造されても、摘み部にレンズ部に関する情報を塗料の付着によって表示する情報表示工程は、このコーティング工程の後の工程となっているため、情報表示工程で摘み部に付着した塗料が、コーティング工程と関係して用いられる液、例えば、コーティング工程のためのコーティング液や、コーティング工程を実施する前の摘み部付きプラスチック製検眼レンズを洗浄するための洗浄液によって取れてしまったり、これらの液が溶け出した塗料で汚れてしまうという問題が発生することをなくすことができる。
【００３１】
なお、この製造方法におけるコーティング工程は、プラスチック製検眼レンズに反射防止膜を設けない場合には、このプラスチック製検眼レンズにハードコート膜を設けるための工程であり、プラスチック製検眼レンズに反射防止膜を設ける場合には、このプラスチック製検眼レンズにハードコート膜と反射防止膜を設けるための工程である。
【００３２】
本発明に係る摘み部付きプラスチック製検眼レンズの製造装置は、レンズ部と、このレンズ部の外周部に前記レンズ部と一体に形成され、眼鏡試験枠への前記レンズ部の装填時に摘むための摘み部と、を備えたプラスチック製検眼レンズを射出成形法で製造する摘み部付きプラスチック製検眼レンズの製造装置において、塗料の付着によって前記レンズ部に関する情報を表示するための情報表示用凹部を前記摘み部に形成する印刻部材を備えていることを特徴とするものである。
【００３３】
この製造装置は、塗料の付着によってレンズ部に関する情報を表示するための情報表示用凹部を摘み部に形成する印刻部材を備えているため、射出成形法でレンズ部と摘み部を成形する際に、これらのレンズ部と摘み部の成形と同時に、摘み部に情報表示用凹部を形成することができる。
【００３４】
また、摘み部の一方の面に上記情報表示用凹部を形成し、摘み部の他方の面に上記情報とは別の情報を表現する凸部及び／又は凹部を形成する場合には、上記製造装置には、摘み部の一方の面に情報表示用凹部を形成するための第１印刻部材とした上記印刻部材の他に、上記凸部及び／又は凹部を摘み部の上記他方の面に形成するための第２印刻部材を設けることが好ましい。
【００３５】
これによると、本発明に係る製造装置は、上記凸部及び／又は凹部を摘み部の上記他方の面に形成するための第２印刻部材を備えているため、射出成形法でレンズ部と摘み部を成形する際に、これらのレンズ部と摘み部の成形と同時に、上記凸部及び／又は凹部を摘み部の上記他方の面に形成できることになる。
【００３６】
以上において、摘み部にレンズ部に関する情報を表示するための前述した塗料は任意の塗料でよいが、プラスチック製検眼レンズを眼鏡試験枠に装填する作業を行う眼鏡販売店では、この検眼レンズにエタノール、中性洗剤、眼鏡クリーナー等の薬剤を塗布して検眼レンズの汚れを拭き取ることが一般的に行われているため、塗料は、これらの薬剤に対する耐溶剤性（耐薬品性）を有していることが好ましい。また、塗料を凹部の内部に付着させて前述した情報やマークを表示する場合には、この塗料は、肉持ち感があり、かつ平滑性を有しているものが好ましい。
【００３７】
このような条件を満足する塗料の一例は、カシュー樹脂塗料である。このカシュー樹脂塗料は、カシューナットシェル油又はこれと類似の天然フェノール含有物質を原料とする塗料であり、見た目が漆に似た塗料である。このカシュー樹脂塗料は、エタノール、中性洗剤、眼鏡クリーナー等の薬剤に対して充分な耐溶剤性を備え、また、肉持ち感があり、かつ平滑性を有しており、さらに、耐熱性及び耐水性に優れているため、プラスチック製検眼レンズに用いる塗料として適している。
【００３８】
また、摘み部に表示するレンズ部に関する情報が複数種類ある場合には、これらの情報の全部について塗料の色を同じにしてもよく、あるいは、これらの情報ごとに塗料の色を異ならせてもよい。
【００３９】
また、前述したように、レンズ部の外周部に水平基準線の方向を示すマークを塗料の付着によって表示する場合には、このマークの塗料の色と、摘み部にレンズ部に関する情報を表示するための塗料の色とを同じにしてもよく、異ならせてもよい。
【発明の効果】
【００４０】
本発明によると、摘み部に表示されるレンズ部に関する情報を明瞭に視認できるとともに、この情報を長期間に渡って摘み部に表示できるという効果を得られる。
【発明を実施するための最良の形態】
【００４１】
以下に本発明を実施するための形態を図面に基づいて説明する。図１は、本実施形態に係るプラスチック製検眼レンズ１と、眼鏡試験枠２０とを示し、検眼レンズ１は、眼鏡販売店で眼鏡試験枠２０に装填されることにより、被検者の視力等の検査のために用いられる。
【００４２】
図２は、プラスチック製検眼レンズ１の拡大図であり、この検眼レンズ１は、光学部であるレンズ部２と、このレンズ部２の外周部に形成された縁部３と、この縁部３からレンズ部２の外径方向に突出してレンズ部２及び縁部３と一体に形成されている摘み部４とからなる。レンズ部２は、メニスカス状レンズ部であって、アイポイントａを有する遠用部Ａと、アイポイントｂを有する近用部Ｂと、これらの遠用部Ａと近用部Ｂの間の中間累進部Ｃとを有する累進屈折力レンズ部となっている。
【００４３】
なお、本実施形態は、このようにレンズ部２が累進屈折力レンズ部となっている場合についての実施形態であるが、レンズ部は、これに限らず、単焦点レンズ部や多焦点レンズ部、屈折度数を持たないレンズ部であってもよい。
【００４４】
また、本実施形態に係る検眼レンズ１は、ＰＭＭＡ（ポリメチルメタクリレート）系樹脂やＰＣ（ポリカーボネート）系樹脂等の熱可塑性樹脂を材料とする後述の射出圧縮成形法によって製造されており、レンズ部２と縁部３と摘み部４は、同一のプラスチック材料からなり、射出圧縮成形型装置によって同時かつ一体に形成されている。
【００４５】
摘み部４は、検眼レンズ１が右眼用か左眼用かに応じて、レンズ部２の左右いずれか一方に斜め上への４５度の傾き角度で形成され、この摘み部４を摘むことにより、検眼レンズ１を眼鏡試験枠２０に装填することと、眼鏡試験枠２０が検眼レンズ１を取り出すこととが行われる。
【００４６】
摘み部４の一方の面４Ａ、すなわち、本実施形態では、レンズ部２の凸面と同じ側となっている面（以下、前面とも記す）４Ａには、レンズ部２に関する情報５が表示されている。この情報５は、本実施形態では、検眼レンズ１が右眼用か左眼用かを表す第１情報部５Ａと、レンズ部２の加入度を表す第２情報部５Ｂと、その他の情報、例えば、レンズの品種を表す第３情報部５Ｃとからなる。
【００４７】
図３は、情報５が表示されている箇所での摘み部４の断面図である図２のＳ３−Ｓ３線断面図であり、図４は、図３の一部拡大図である。図４で示されているとおり、摘み部４の上記前面４Ａには複数の凹部６が形成され、これらの凹部６は、図２の情報５を表現する文字の形状となって前面４Ａに形成されている。そして、それぞれの凹部６の内部には、着色剤によって着色されたカシュー樹脂塗料７が充填され、乾燥固化したこのカシュー樹脂塗料７により、情報５が摘み部４の前面４Ａに表示されている。すなわち、凹部６は情報表示用凹部となっており、この情報表示凹部６の内部にカシュー樹脂塗料７が充填状態で付着することにより、情報５が摘み部４の前面４Ａに表示されている。
【００４８】
なお、図５に示すように、カシュー樹脂塗料７は、情報表示用凹部６の内面に塗布された状態でこの凹部６の内部に付着させてもよい。
【００４９】
また、本実施形態では、このように摘み部４の前面４Ａ側にカシュー樹脂塗料７を付着させることにより、摘み部４の前面４Ａに情報５を表示しているが、摘み部４におけるレンズ部２の凹面と同じ側となっている面（以下、後面とも記す）側に、情報を表示するカシュー樹脂塗料を反転させた状態で付着させ、摘み部４を透過させて前面４Ａ側に情報を表示させてもよい。この場合には、摘み部４の後面に、上記凹部６を反転させた状態の凹部を形成し、この凹部の内部にカシュー樹脂塗料を図４又は図５の状態にして付着させるとよい。
【００５０】
本実施形態では、カシュー樹脂塗料７は、カシュー株式会社製のカシュー樹脂塗料（商品名：＃９１番）を使用した。
【００５１】
図６は、図２のＳ６−Ｓ６線断面図である。検眼レンズ１の縁部３には、図２で示す水平基準線８と一致する２つの位置において、凹部９が形成され、これらの凹部９の内部に、上記カシュー樹脂塗料７と同じ色又は異なる色に着色されたカシュー樹脂塗料１０が付着している。このため、このカシュー樹脂塗料１０により、検眼レンズ１の縁部３には、水平基準線８の方向を示すマーク１１が表示され、凹部９は、このマーク１１をカシュー樹脂塗料１０で表示するためのマーク表示用凹部となっている。
【００５２】
なお、凹部９の内部でのカシュー樹脂塗料１０の付着は、図４と同様に、カシュー樹脂塗料１０を凹部９の内部全体に充填させた状態で行ってもよい。
【００５３】
以上のようにレンズ部２に関する情報５及び水平基準線８の方向を示すマーク１１をカシュー樹脂塗料７，１０で表示することにより、これらの情報５とマーク１１が表示される摘み部４と縁部３が、レンズ部２と同じ透明のプラスチック材料で形成されていても、これらの情報５とマーク１１を明瞭に視認できることになる。また、情報５とマーク１１は、ラベルの貼付よりも検眼レンズ１に確実に付着するため、長期間に渡って情報５とマーク１１を検眼レンズ１に表示できることになる。
【００５４】
また、情報５とマーク１１は、摘み部４と縁部３に形成された凹部６，９の内部に付着したカシュー樹脂塗料７，１０で表示されているため、情報５とマーク１１を平坦面に付着させたカシュー樹脂塗料で表示した場合よりも、カシュー樹脂塗料が剥がれたり摩滅したりするおそれをなくす又は少なくすることができ、カシュー樹脂塗料７，１０で表示された情報５とマーク１１の長い永続性を確保することができる。
【００５５】
また、カシュー樹脂塗料７，１０は、エタノール、中性洗剤、眼鏡クリーナー等の薬剤に対して充分な耐溶剤性を備えており、これらの薬剤は、プラスチック製検眼レンズ１を眼鏡試験枠２０に装填する作業が行われる眼鏡販売店で使用されているため、眼鏡販売店で多数回取り扱われるプラスチック製検眼レンズ１に用いる塗料として有効である。
【００５６】
なお、本実施形態では、情報５をカシュー樹脂塗料７で表示するための凹部６は、この情報５を表現する文字の形状となって摘み部４に形成されているため、図４で示す凹部６の幅寸法Ｗは大きな寸法にならないが、射出圧縮成形法で成形された検眼レンズ１の表面全体にハードコート膜を施すためのハードコーティング作業を行った際に、凹部６の内部がハードコーティング液で完全に埋まることがなく、そして、凹部６の内部にカシュー樹脂塗料７を付着させたときにこのカシュー樹脂塗料７による情報５を良好に視認できることと、検眼レンズ１を成形するための後述の射出圧縮成形型装置に凹部６を摘み部４に形成するために組み込まれている印刻部材が、射出成形品である上記検眼レンズ１から良好に離型すること、とを確保するためには、凹部６の深さ寸法Ｄは、０．１３ｍｍ≦Ｄ≦０．５ｍｍとすることが好ましい。また、この際の凹部６の幅寸法Ｗは、０．３ｍｍ≦Ｗ≦１ｍｍとすることが好ましい。
【００５７】
図７は、以上のプラスチック製検眼レンズ１の射出成形品を射出圧縮成形法で成形するために用いる射出圧縮成形型装置３０を示す縦断面図である。複数個のプラスチック製検眼レンズ１の成形品を同時に成形できる複数個取り用となっているこの射出圧縮成形型装置３０は、パーティングラインＰＬから型分割される上型３１と下型３２を有している。
【００５８】
上型３１は、内インサート部材３３と、この内インサート部材３３の外側に配置された外インサート部材３４と、内インサート部材３３の上側に配置されたバックインサート３５とを含んで構成され、このバックインサート３５の雄ねじ部３５Ａでバックインサート３５と内インサート部材３３とが結合されている。下型３２は、内インサート部材３６と、この内インサート部材３６の外側に配置されているとともに、穴部３７Ａに内インサート部材３６を収納している外インサート部材３７と、内インサート部材３６の下側であって、内インサート部材３６と外インサート部材３７との間に配置された肉厚調整スペーサ３８とを含んで構成され、内インサート部材３６と肉厚調整スペーサ３８は、図示しないボルト等で外インサート部材３７に結合されている。
【００５９】
上型３１の内インサート部材３３と下型３２の内インサート部材３６は上下に対向し、また、上型３１の外インサート部材３４と下型３２の外インサート部材３７も上下に対向している。上型３１の内外インサート部材３３，３４により上型３１のインサート３１Ａが形成され、下型３２の内外インサート部材３６，３７により下型３２のインサート３２Ａが形成されている。これらの上下一対のインサート３１Ａ，３２Ａの組みは、射出圧縮成形型装置３０で同時に成形すべき検眼レンズ１と同じ個数あり、上型３１と下側３２が型締めされているときにおけるそれぞれの組みにおける上下一対のインサート３１Ａ，３２Ａの間にはキャビティ３９が形成され、これらのキャビティ３９は、レンズ部成形部３９Ａと、縁部成形部３９Ｂと、摘み部成形部３９Ｃとを含んでいる。
【００６０】
レンズ部成形部３９Ａは、上下型３１，３２の内インサート部材３３，３６同士の間で形成され、縁部成形部３９Ｂと摘み部成形部３９Ｃは、上下型３１，３２の外インサート部材３４，３７同士の間で形成されている。また、下型３２の外インサート部材３７における摘み部成形部３９Ｃと対応する箇所には印刻部材４０が組み込まれ、キャビティ３９への溶融樹脂の充填によって図２で示したレンズ部２、縁部３、摘み部４が成形されるとき、この印刻部材４０に形成されている凸部により、摘み部４に図３〜図５で示した情報表示用凹部６が設けられるようになっている。また、図６で示したマーク表示用凹部９を形成するための凸部は、下型３２の外インサート部材３７に設けられている。
【００６１】
なお、印刻部材４０の上記凸部は、この凸部が設けられる印刻部材４０の表面を放電加工することによって形成されている。
【００６２】
図７において、上型３１は、型板４３と型板４４との境界部４５から上下に分かれて構成され、上型３１と下型３２が型締めされているとき、型板４３から下側の部分に対して型板４４から上側の部分は、圧縮代分だけ図示しない型締めシリンダおよび他のシリンダにより上下動できるようになっている。上型３１のバックインサート３５と内インサート部材３３は、型板４４に結合された部材となっているため、バックインサート３５と内インサート部材３３は、型板４４と一体になって上下動する。
【００６３】
上型３１と下型３２が型締めされているときに射出圧縮成形装置の射出ノズル５０から溶融樹脂が射出されると、溶融樹脂は型装置３０の内部のスプルー５１、ランナー５２、さらにはゲート５３を経てそれぞれのキャビティ３９に充填される。このときには上型３１のバックインサート３５と内インサート部材３３は圧縮代分上昇しており、キャビティ３９への溶融樹脂の充填後、これらのバックインサート３５と内インサート部材３３は下降し、これにより、上型３１、下型３２の流体流通通路５４を流通する温度調節用流体によって徐々に冷却されて固化する溶融樹脂が圧縮されることになる。
【００６４】
溶融樹脂の固化によってキャビティ３９で射出成形品が成形された後、上型３１と下型３２はパーティングラインＰＬから型開きし、上型３１側に付着している射出成形品は、エジェクトシリンダのバー５６で押し下げられるエジェクトプレート５７のピン５８で突き出される。
【００６５】
このようにして型装置３０から取り出された射出成形品は、複数個が連結されたものとなっているとともに、それぞれの射出成形品には、図２で示したレンズ部２と縁部３と摘み部４とが設けられており、これらのレンズ部２と縁部３と摘み部４は、図７の型装置３０において同時に成形されている。また、摘み部４には、印刻部材４０によって情報表示用凹部６が形成されており、縁部３にはマーク表示用凹部９が形成されており、これらの凹部６，９も、レンズ部２と縁部３と摘み部４が型装置３０で成形されるときに、これらのレンズ部２と縁部３と摘み部４と同時に形成されている。このため、これらの凹部６，９を摘み部４と縁部３に設けるための作業を別途行う必要はない。
【００６６】
また、レンズ部２と摘み部４の成形と同時に情報表示用凹部６が摘み部４に形成されるため、摘み部付き製検眼レンズを射出成形法で製造した後に、この検眼レンズの摘み部にレンズ部に関する情報が表示されたラベルを貼付する場合と異なり、摘み部４に誤った情報を表示するおそれをなくすことができる。
【００６７】
なお、上述のように複数個が連結されている射出成形品は、図８で示されているハードコーティング工程を行う前にそれぞれの検眼レンズ１ごとに、すなわち、それぞれの射出成形品ごとに分離される。
【００６８】
図８は、以上説明した型装置３０による射出成形工程６１の後に、この射出成形工程６１で製造された検眼レンズ１に対して実施されるそれぞれの作業工程を示す工程図である。射出成形工程６１の次は、摘み部４を含む検眼レンズ１の表面全体にハードコート膜を施すハードコーティング工程６２であり、ハードコート膜についての外観検査工程６３の次に、洗浄工程６４で洗浄された検眼レンズ１の一方の面に反射防止膜を設ける第１反射防止膜コーティング工程６５が真空蒸着法によって行われる。そして、洗浄工程６６で検眼レンズ１を洗浄した後、第２反射防止膜コーティング工程６７において、真空蒸着法により、検眼レンズ１の他方の面に反射防止膜を設ける作業が行われ、外観検査工程６８において、この反射防止膜が検査される。
【００６９】
この後、塗料流し込み工程６９において、摘み部４の情報表示用凹部６と縁部３のマーク表示用凹部９とにカシュー樹脂塗料７，１０を流し込む作業が行われ、凹部６，９から溢れて余分となっているカシュー樹脂塗料７，１０を、例えば、シルボン紙で拭き取った後、凹部６，９に残留し付着しているカシュー樹脂塗料７，１０を自然乾燥工程７０で室温により乾燥固化させる。なお、本実施形態では、この乾燥固化のための時間は２４時間であった。これにより、摘み部４の凹部６にカシュー樹脂塗料７で前記情報５が表示され、縁部３の凹部９には、カシュー樹脂塗料１０で前記水平基準線８の方向を示す前記マーク１１が表示されることになる。これらの情報表示用凹部６とマーク表示用凹部９においては、塗料流し込み工程６９が、検眼レンズ１の表面にハードコート膜を設けるハードコーティング工程６２と反射防止膜を設ける第１及び第２反射防止膜コーティング工程６５，６７とが終了した後に行われているため、検眼レンズ１の表面から、ハードコート膜、反射防止膜、カシュー樹脂塗料がこの順番で積層している。
【００７０】
次いで、それぞれのプラスチック製検眼レンズ１を包装工程７１で包装し、これらの検眼レンズ１を出荷工程７２で眼鏡販売店等へ出荷する。
【００７１】
図８で示したそれぞれの作業工程６１〜７２のうち、射出成形工程６１は、プラスチック製検眼レンズ１の射出成形品を製造する工程であり、ハードコーティング工程６２と第１及び第２反射防止膜コーティング工程６５，６７は、この成形品にコート膜を設けるコーティング工程であり、塗料流し込み工程６９と自然乾燥工程７０は、摘み部４に情報５を表示する情報表示工程になっているとともに、縁部３に水平基準線８の方向を示すマーク１１を表示するマーク表示工程ともなっている。
【００７２】
なお、ハードコーティング工程６２は、浸漬作業具で保持した検眼レンズ１を、ハードコーティング液を溜めた液槽の中に上から徐々に降ろすことにより、前述した情報表示用凹部６が形成されている摘み部４を含む検眼レンズ１の全体をハードコーティング液に浸漬し、この浸漬を所定時間行った後、浸漬作業具を上昇させることにより、検眼レンズ１をハードコーティング液から引き上げ、この後、検眼レンズ１を高温雰囲気の中で加熱することにより、検眼レンズ１の表面に残留しているハードコーティング液による膜を硬化させ、これによって検眼レンズ１の表面にハードコート膜を形成するための作業工程である。プラスチック製検眼レンズ１は、ガラス製レンズと比べると、耐擦傷性が劣っているため、ハードコート膜によってこの欠点が補われる。
【００７３】
ハードコーティング液は、下記の一般式で示される有機ケイ素化合物及び／又はその加水分解物を含むものが有用である。
Ｒ１ａＲ２ｂＳｉ（ＯＲ３）４−ａ−ｂ
（ここで、Ｒ１、Ｒ２は各アルキル基、アルケニル基、アニール基、またはハロゲン基、グリシドキシ基、エポキシ基、アミノ基、メルカプト基、メタクリルオキシ基あるいはシアノ基を有する炭化水素基、Ｒ３は炭素数が１〜８のアルキル基、アルコキシアルキル基、アシル基、フェニル基、アリルアルキル基であり、ａおよびｂは０または１である。）
具体的には、メチルシリケート、エチルシリケート、メチルメトキシシラン、エチルメトキシシラン、γ−グリシドキシシラン等が挙げられる。これらの有機ケイ素化合物は１種のみならず、２種以上組み合わせてもよい。このコーティング処理液には、硬化剤（例えばアルミニウム等の金属キレート化合物）や微粒子（好ましくは、コロイド状）の金属酸化物（例えば、シリカ、チタン、ジルコン、スズ、タングステン、セリウム、アルミニウム）またはその複合金属酸化物等を添加することもできる。そして、粘度に関しては、前記コーティング液組成では、３ＣＰ（センチポワーズ）〜２５ＣＰのものが好ましく使用でき、特に好ましくは、８ＣＰ〜１５ＣＰである。
【００７４】
本実施形態では、ハードコーティング液としては、有機ケイ素化合物としてγ−グリシドキシプロピルトリメトキシシラン、硬化剤としてアルミニウムアセチルアセトネート、微粒子状無機物としてコロイダルシリカを使用し、粘度は１０ＣＰであった。
【００７５】
前述したように、本実施形態では、摘み部４と縁部３の凹部６，９にカシュー樹脂塗料７，１０を流し込む作業は、検眼レンズ１の表面にハードコート膜を設けるハードコーティング工程６２と、反射防止膜を設ける第１及び第２反射防止膜コーティング工程６５，６７とが終了した後に行われるため、凹部６，９にカシュー樹脂塗料７，１０を流し込む作業をこれらの工程６２，６５，６７の前に行った場合と異なり、ハードコーティング工程６２で検眼レンズ１が浸漬されるハードコーティング液によってカシュー樹脂塗料が凹部６，９から取れてしまったり、ハードコーティング液が溶け出したカシュー樹脂塗料で汚れたりすること、第１及び第２反射防止膜コーティング工程６５，６７の前の洗浄工程６４，６６でカシュー樹脂塗料が凹部６，９から取れてしまったり、洗浄液が溶け出したカシュー樹脂塗料で汚れたりすることをなくすことができる。
【００７６】
また、カシュー樹脂塗料７，１０を凹部６，９の内部で自然乾燥させるためには時間がかかるため、上述のように凹部６，９にカシュー樹脂塗料７，１０を流し込む工程６９を、ハードコーティング工程６２と第１及び第２反射防止膜コーティング工程６５，６７とが終了した後の工程とすることにより、この流し込み工程６９が他の工程に影響を与えることがなくなり、全体の作業を効率的に行えることになる。
【００７７】
図９は、別実施形態に係るプラスチック製検眼レンズ１’を示す。この検眼レンズ１’の摘み部４の一方の面である前面４Ａには、図２の実施形態の検眼レンズ１と同様に、レンズ部２に関する情報５が表示されているとともに、摘み部４の他方の面である後面４Ｂ（図９では摘み部４の裏側の面）には、この情報５とは別の情報５’が表示されている。この別の情報５’は、例えば、検眼レンズ１’の製造会社の社名や商品名等である。図１０は図９のＳ１０−Ｓ１０線断面図であり、この図１０で示されているように、情報５’は、摘み部４の上記他方の面４Ｂに形成された凸部１２によって表現されている。
【００７８】
このように、摘み部４の両面に情報を表示する場合に、両面の情報を、情報５と同じく、凹部の内部に付着したカシュー樹脂塗料によって表示すると、摘み部４は、レンズ部２と同じ透明のプラスチック材料で形成されているため、摘み部４の前面４Ａの側からこの前面４Ａに表示されている情報を視認するときに、後面４Ｂに表示されている情報も明瞭に見えてしまい、この情報が、前面４Ａに表示されている情報を視認する上で邪魔になるが、後面４Ｂに表示する情報５’を凸部１２とすることにより、このような不具合を解決することができる。
【００７９】
なお、情報５’は凹部で表現してもよく、凸部と凹部の両方で表現してもよい。
【００８０】
図１１は、図９のように、摘み部４の前面４Ａには、凹部６の内部に付着させたカシュー樹脂塗料７で情報５を表示し、摘み部４の後面４Ｂには、凸部及び／又は凹部によって情報５’を表示したプラスチック製検眼レンズ１’を製造するために用いる射出圧縮型装置３０’を示す。
【００８１】
この型装置３０’にも、成形品の摘み部４の前面４Ａに凹部６を形成するために、図７で示した印刻部材４０が組み込まれ、この印刻部材４０は、第１印刻部材となっている。型装置３０’には、この第１印刻部材４０と上下に対向する状態で第２印刻部材４１が組み込まれ、上型３１の外インサート部材３４に配置されているこの第２印刻部材４１に形成された凹部及び／又は凸部により、摘み部４の後面４Ｂに、情報５’を表現する上記凸部及び／又は凹部が形成される。
【００８２】
情報５’を表現するこの凸部及び／又は凹部も、型装置３０’でレンズ部２と縁部３と摘み部４が成形されるときに同時に形成されることになり、型装置３０’で製造された成形品に、凸部及び／又は凹部を設けるための作業を別途行う必要はない。
【００８３】
なお、以上において、摘み部４の前面４Ａに設けた情報５のための塗料とは異なる色の塗装を後面４Ｂに行い、又は摘み部４の前面４Ａに設けた情報５のための塗料とは異なる色の色付きのシートを後面４Ｂに貼付することにより、前面４Ａの情報５を見やすくしてもよい。このようにした場合には、たとえ後面４Ｂの塗装や色付きのシートが取れてしまっても、前面４Ａに表示されている情報５には影響がなく、それぞれの検眼レンズ１を識別する上で問題は生じない。
【００８４】
また、前述した実施形態は、プラスチック製検眼レンズ１を射出圧縮成形法で成形する場合であったが、本発明に係るプラスチック製検眼レンズは、溶融樹脂が充填されているときのキャビティを拡大させず、キャビティに充填された後の溶融樹脂を加圧、圧縮しない通常の射出成形法によって成形してもよい。
【産業上の利用可能性】
【００８５】
本発明は、プラスチック製検眼レンズの摘み部にレンズ部に関する情報を表示するために利用することができる。
【図面の簡単な説明】
【００８６】
【図１】本発明の一実施形態に係るプラスチック製検眼レンズと、この検眼レンズが装填される眼鏡試験枠とを示す図である。
【図２】図１で示されたプラスチック製検眼レンズの拡大図である。
【図３】図２のＳ３−Ｓ３線断面図である。
【図４】図３の一部拡大図である。
【図５】摘み部に形成された情報表示用凹部の内部に、図４とは異なる形態でカシュー樹脂塗料が付着している場合を示す図４と同様の図である。
【図６】図２のＳ６−Ｓ６線断面図である。
【図７】図１で示されているプラスチック製検眼レンズの射出成形品を製造するための射出圧縮成形型装置を示す縦断面図である。
【図８】図７の型装置による射出成形工程の後に、射出成形品に対して実施されるそれぞれの作業工程を示す工程図である。
【図９】別実施形態に係るプラスチック製検眼レンズを示す図２と同様の図である。
【図１０】図９のＳ１０−Ｓ１０線断面図である。
【図１１】図９の実施形態に係るプラスチック製検眼レンズの射出成形品を製造するために用いる射出圧縮成形型装置を示す縦断面図である。
【符号の説明】
【００８７】
１，１’  プラスチック製検眼レンズ
２  レンズ部
３  レンズ部の外周部に形成された縁部
４  摘み部
４Ａ  摘み部の一方の面である前面
４Ｂ  摘み部の他方の面である後面
５  レンズ部に関する情報
５’  別の情報
６  情報表示用凹部
７，１０  カシュー樹脂塗料
８  水平基準線
９  マーク表示用凹部
１１  水平基準線の方向を示すマーク
１２  別の情報を表現している凸部
２０  眼鏡試験枠
３０，３０’  射出圧縮成形型装置
３９  キャビティ
４０  印刻部材（第１印刻部材）
４１  第２印刻部材
６１  プラスチック製検眼レンズの射出成形品を製造する工程である射出成形工程
６２  射出成形品にコート膜を設けるコーティング工程であるハードコーティング工程
６５，６７  射出成形品に反射防止膜を設けるコーティング工程である第１及び第２反射防止膜コーティング工程
６９，７０  摘み部にレンズ部に関する情報を表示する情報表示工程である塗料流し込み工程と自然乾燥工程
【図１】
2007143705.tif 000003
【図２】
2007143705.tif 000004
【図３】
2007143705.tif 000005
【図４】
2007143705.tif 000006
【図５】
2007143705.tif 000007
【図６】
2007143705.tif 000008
【図７】
2007143705.tif 000009
【図８】
2007143705.tif 000010
【図９】
2007143705.tif 000011
【図１０】
2007143705.tif 000012
【図１１】
2007143705.tif 000013